(57)【要約】  表示装置の仕様によらず、汎用的に色表現を測定することができる表示光強度の測定方法、コンピュータプログラム、及び測定システムを提供する。  光学センサ２と接続してある測定装置１は、測定対象である表示装置（情報端末装置３）と通信が可能であり、表示装置へカラーパッチを含むコンテンツを送信してコンテンツを表示させ、表示中に光学センサ２を用いて測定を行う。多数のカラーパッチを用いて測定を行うために測定装置１は、一のカラーパッチを表示させたときの測定が終了した場合、他のカラーパッチを含むコンテンツを表示装置へ送信して表示させ、表示中に測定を行うことを繰り返す。
2013038852.tif 000002
【特許請求の範囲】
【請求項１】
光学センサと接続し、表示装置における表示光強度を測定する測定装置が、前記表示装置に複数の異なる調整用画像を表示させ、各調整用画像を表示中の前記表示装置における光強度を、所定のタイミングで夫々順次前記光学センサを用いて測定する方法であって、
前記測定装置が、
調整用画像を含むコンテンツ、及び前記表示装置での前記コンテンツの表示タイミングを制御する表示制御情報を、前記表示装置へ送信するステップと、
前記光学センサにおける測定タイミングに合わせて、送信するコンテンツを前記表示制御情報に基づき変更する変更ステップと
を実行することを特徴とする測定方法。
【請求項２】
前記測定装置は、
前記表示制御情報として、共に送信されるコンテンツに含まれる調整用画像を特定する情報を送信すること
を特徴とする請求項１に記載の測定方法。
【請求項３】
前記測定装置は、前記表示制御情報として、自身へのコンテンツ要求を間欠的に送信し、受信したコンテンツを表示することを指示する情報を送信し、
前記変更ステップは、
一の調整用画像の表示中における測定終了を検知する検知ステップと、
測定終了を検知した場合に、前記表示装置からのコンテンツ要求に応じて他の調整用画像を含むコンテンツに変更するステップと
を更に含むことを特徴とする請求項１又は２に記載の測定方法。
【請求項４】
前記測定装置は、前記表示制御情報として、コンテンツを表示する時間、又は次のコンテンツ要求を送信するまでの待機時間を送信すること
を特徴とする請求項１又は２に記載の測定方法。
【請求項５】
前記測定装置は、前記表示制御情報として、次に要求すべきコンテンツを特定する情報を送信すること
を特徴とする請求項３又は４に記載の測定方法。
【請求項６】
光学センサと接続し、表示装置における表示光強度を測定する測定装置が、該測定装置と通信する情報処理装置と情報を送受信し、前記表示装置に複数の異なる調整用画像を表示させ、各調整用画像を表示中の前記表示装置における光強度を、所定のタイミングで夫々順次前記光学センサを用いて測定する方法であって、
前記測定装置が、
前記情報処理装置へ、調整用画像を含むコンテンツ、及び前記表示装置での前記コンテンツの表示タイミングを制御する表示制御情報を前記表示装置へ送信することを指示するステップと、
前記光学センサにおける測定タイミングに合わせて、前記情報処理装置へ、送信するコンテンツを前記表示制御情報に基づき変更させる変更ステップと
を実行することを特徴とする測定方法。
【請求項７】
前記情報処理装置は、
前記表示制御情報として、共に送信されるコンテンツに含まれる調整用画像を特定する情報を送信すること
を特徴とする請求項６に記載の測定方法。
【請求項８】
前記情報処理装置は、前記表示制御情報として、自身へのコンテンツ要求を間欠的に送信し、受信したコンテンツを表示することを指示する情報を送信し、
前記変更ステップは、
一の調整用画像の表示中における測定終了を検知する検知ステップと、
測定終了を検知した場合に、前記情報処理装置に、前記表示装置からのコンテンツ要求に応じて他の調整用画像を含むコンテンツに変更させるステップと
を更に含むことを特徴とする請求項６又は７に記載の測定方法。
【請求項９】
前記情報処理装置は、前記表示制御情報として、コンテンツを表示する時間、又は次のコンテンツ要求を送信するまでの待機時間を送信すること
を特徴とする請求項６又は７に記載の測定方法。
【請求項１０】
前記情報処理装置は、前記表示制御情報として、次に要求すべきコンテンツを特定する情報を送信すること
を特徴とする請求項８又は９に記載の測定方法。
【請求項１１】
前記測定装置が、
送信したコンテンツに含まれる調整用画像を特定する情報と、前記コンテンツが含む調整用画像の表示中の測定結果とを対応付けて記憶するステップを更に実行すること
を特徴とする請求項１乃至１０のいずれかに記載の測定方法。
【請求項１２】
前記測定装置が、
測定結果に基づき、前記表示装置の色空間の変換に係る色空間情報を生成するステップを更に実行すること
を特徴とする請求項１乃至１１のいずれかに記載の測定方法。
【請求項１３】
光学センサと接続するコンピュータに、複数の調整用画像を表示装置に表示させ、各調整用画像を表示中の前記表示装置における光強度を、夫々順次前記光学センサで測定する処理を実行させるコンピュータプログラムにおいて、
コンピュータに、
調整用画像を含むコンテンツ、及び前記表示装置での前記コンテンツの表示タイミングを制御する表示制御情報を、前記表示装置へ送信するステップと、
前記光学センサにおける測定タイミングに合わせて、送信するコンテンツを前記表示制御情報に基づき変更するステップと
を実行させることを特徴とするコンピュータプログラム。
【請求項１４】
光学センサと接続するコンピュータに、複数の調整用画像を表示装置に表示させ、各調整用画像を表示中の前記表示装置における光強度を、夫々順次前記光学センサで測定する処理を実行させるコンピュータプログラムにおいて、
コンピュータに、
調整用画像を含むコンテンツ、及び前記表示装置での前記コンテンツの表示タイミングを制御する表示制御情報を、前記表示装置へ送信することを他へ指示するステップと、
前記光学センサにおける測定タイミングに合わせて、送信するコンテンツを前記表示制御情報に基づき変更することを他へ指示するステップと
を実行させることを特徴とするコンピュータプログラム。
【請求項１５】
表示装置と、該表示装置に接続して複数の調整用画像を前記表示装置に表示させ、各調整用画像を表示中の前記表示装置における光強度を、所定のタイミングで夫々順次測定する光学センサと接続する手段を備える表示光強度の測定装置とを含む測定システムであって、
前記測定装置は、各調整用画像を含むコンテンツ、及び前記表示装置での前記コンテンツの表示タイミングを制御する表示制御情報を、前記表示装置へ送信する手段と、
前記光学センサにおける測定タイミングに合わせて、送信するコンテンツを前記表示制御情報に基づき変更する手段と
を備え、
前記表示装置は、
前記測定装置から送信されたコンテンツ及び前記表示制御情報を受信する手段と、
受信したコンテンツを、受信した表示制御情報に基づき表示する手段と
を備えることを特徴とする測定システム。
【請求項１６】
表示装置と、該表示装置に接続して複数の調整用画像を前記表示装置に表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、
前記測定装置は、各調整用画像を含むコンテンツ、及び前記表示装置での前記コンテンツの表示タイミングを制御する表示制御情報を前記表示装置へ送信することを前記情報処理装置へ指示する手段と、
前記光学センサにおける測定タイミングに合わせて、送信するコンテンツを前記表示制御情報に基づき変更することを前記情報処理装置へ指示する手段と
を備え、
前記表示装置は、
前記情報処理装置から送信されたコンテンツ及び前記表示制御情報を受信する手段と、
受信したコンテンツを、受信した表示制御情報に基づき表示する手段と
を備えることを特徴とする測定システム。
【発明の詳細な説明】
【技術分野】
【０００１】
以下に開示する技術内容は、表示装置の色管理技術（カラーマネジメント）に関し、特に、表示部を有する多種多様な表示装置での表示色管理のために、汎用的に用いることができる表示光強度の測定方法、コンピュータプログラム、及び測定システムに関する。
【背景技術】
【０００２】
ＬＣＤ（Liquid Crystal Display）などを用いた表示装置における色表現は加法混色に基づくものであり、一方で紙媒体における色表現は減法混色に基づくものである。同じカラー画像であってもプリンタ等の印刷装置で出力する場合と、表示装置で出力する場合とでは色表現が異なる。したがって、印刷装置での出力結果と表示装置で確認できる色表現とが合致せず、ユーザの思い通りの結果が得られないことがある。【０００３】
更に、表示装置が備える部品の固有の特性などによって、表示装置夫々の色表現に差異が生じる。同一の表示装置でも、輝度又は色調の設定に応じて色表現が異なる。したがって、ある同一の画像を出力させた場合であっても、一の表示装置ではユーザの思い通りの色表現が出来ているにも拘わらず、他の表示装置では異なって見えることがある。そのため、個々の表示装置の設定や特性に合わせて、表示色を目標の色表現に設定させたり、複数の表示装置で色表現を統一させたりするための色管理（カラーマネジメント）の技術が、印刷業界及びデザイン業界の分野で重要である。【０００４】
従来の色管理の方法としては、例えば、表示装置に調整目標用の画像を表示させ、表示された画像をユーザが見て主観的に色空間を設定する方法がある（特許文献１）。しかしながらユーザが手作業で、しかも主観的に判断して設定する方法では周辺環境や時間、体調による誤差が大きくなって色表現の統一化を図ることが困難な上、作業が非常に煩雑である。【０００５】
各種表示装置のために想定された既存のＩＣＣ（International Color Consortium）プロファイルを用いて自動的に設定する方法もある。しかしながら、表示装置の種類毎の特性を吸収することができたとしても、上述したように個々の表示装置固有の特性に適合させない限り、色表現の統一は不十分である。【０００６】
そこで表示装置に光学センサを取り付けて、表示装置が接続されているパーソナルコンピュータ（Personal Computer 。以下、ＰＣという）にてキャリブレーションソフトウェアを実行する方法が利用されている。この場合、ユーザが表示装置の調整目標値を指定し、ＰＣが指定された調整目標値に一致するようにキャリブレーション処理を行なう。表示装置の液晶パネルに光学センサを取り付けておき、ユーザによる手作業なしに、自動的にキャリブレーションを行なう方法が開示されている（特許文献２）。
【先行技術文献】
【特許文献】
【０００７】
【特許文献１】特開平１０−４９０９２号公報
【特許文献２】特開２０１０−２５００６０号公報
【発明の概要】
【発明が解決しようとする課題】
【０００８】
従来は、ＤＴＰ（Desk Top Publishing ）のモニタやフォトビューアとしての機能は、ＰＣにビデオ入出力端子又はＵＳＢ（Universal Serial Bus）端子等で接続された表示装置で実現されてきた。この場合、色管理は上述のように、ＰＣでキャリブレーション用のソフトウェアプログラムを実行させ、ＰＣから表示装置に接続された光学センサの制御と表示装置での表示の制御とを併せて行なうことができた。【０００９】
昨今では、タブレット型情報端末装置が普及し、これらの装置は表示装置として十分に大きく高精細になる傾向にある。印刷・出版業界及びデザイン業界でも、ユーザはタブレット型情報端末装置を表示装置として、具体的にはＤＴＰのモニタ、フォトビューア、又は電子書籍リーダーとして用いて画像を確認することが増加している。また、無線通信によりタブレット型情報端末装置から印刷装置へ直接的に画像データを送信して出力することもできる。したがってタブレット型情報端末装置における色表現の管理も重要度を増している。【００１０】
タブレット型情報端末装置はそれ自体で、操作や出力の機能、及び演算機能を持ち、ビデオ入出力端子を有さない場合がある。ビデオ入出力端子を有さないタブレット型情報端末装置に対しては、光学センサの制御と画面表示の制御とを併せて行なうことができないので、従来の表示装置に対する自動化したキャリブレーションの方法を適用することができない。タブレット型情報端末装置側にて手動で測定用画像を表示させ、その都度、キャリブレーション用ソフトウェアを実行するＰＣにて測定を開始する方法を採ることも出来る。しかしながら、数千、数万ともなる多数の測定用画像を手動で表示させる作業は、ユーザへの負担が非常に大きい。【００１１】
ビデオ入出力端子を有さないタブレット型情報端末装置専用のキャリブレーション用のシステムが提案されている。この場合、タブレット型情報端末装置自身にキャリブレーション用のソフトウェアを実行させ、別ＰＣにより光学センサを制御することでキャリブレーションを自動的に行なう。これにより、ビデオ入出力端子を有さないタブレット型情報端末装置における色管理が可能である。しかしながら、この場合ソフトウェアは特定のタブレット型情報端末装置専用である。タブレット型情報端末装置には多様なものがあるから、全てに個別のキャリブレーション用のソフトウェアを用意するのは困難である。【００１２】
本発明は、斯かる事情に鑑みてなされたものであり、ビデオ入出力端子の有無など表示装置の仕様によらず、汎用的に表示装置の色表現を測定することができる表示光強度の測定方法、コンピュータに前記測定方法として実行させるコンピュータプログラム、及び測定システムを提供することを目的とする。
【課題を解決するための手段】
【００１３】
本発明に係る測定方法は、光学センサと接続し、表示装置における表示光強度を測定する測定装置が、前記表示装置に複数の異なる調整用画像を表示させ、各調整用画像を表示中の前記表示装置における光強度を、所定のタイミングで夫々順次前記光学センサを用いて測定する方法であって、前記測定装置が、調整用画像を含むコンテンツ、及び前記表示装置での前記コンテンツの表示タイミングを制御する表示制御情報を、前記表示装置へ送信するステップと、前記光学センサにおける測定タイミングに合わせて、送信するコンテンツを前記表示制御情報に基づき変更する変更ステップとを実行することを特徴とする。【００１４】
本発明に係る測定方法は、前記測定装置は、前記表示制御情報として、共に送信されるコンテンツに含まれる調整用画像を特定する情報を送信することを特徴とする。【００１５】
本発明に係る測定方法は、前記測定装置は、前記表示制御情報として、自身へのコンテンツ要求を間欠的に送信し、受信したコンテンツを表示することを指示する情報を送信し、前記変更ステップは、一の調整用画像の表示中における測定終了を検知する検知ステップと、測定終了を検知した場合に、前記表示装置からのコンテンツ要求に応じて他の調整用画像を含むコンテンツに変更するステップとを更に含むことを特徴とする。【００１６】
本発明に係る測定方法は、前記測定装置は、前記表示制御情報として、コンテンツを表示する時間、又は次のコンテンツ要求を送信するまでの待機時間を送信することを特徴とする。【００１７】
本発明に係る測定方法は、前記測定装置は、前記表示制御情報として、次に要求すべきコンテンツを特定する情報を送信することを特徴とする。【００１８】
本発明に係る測定方法は、光学センサと接続し、表示装置における表示光強度を測定する測定装置が、該測定装置と通信する情報処理装置と情報を送受信し、前記表示装置に複数の異なる調整用画像を表示させ、各調整用画像を表示中の前記表示装置における光強度を、所定のタイミングで夫々順次前記光学センサを用いて測定する方法であって、  前記測定装置が、前記情報処理装置へ、調整用画像を含むコンテンツ、及び前記表示装置での前記コンテンツの表示タイミングを制御する表示制御情報を前記表示装置へ送信することを指示するステップと、前記光学センサにおける測定タイミングに合わせて、前記情報処理装置へ、送信するコンテンツを前記表示制御情報に基づき変更させる変更ステップとを実行することを特徴とする。【００１９】
本発明に係る測定方法は、前記情報処理装置は、前記表示制御情報として、共に送信されるコンテンツに含まれる調整用画像を特定する情報を送信することを特徴とする。【００２０】
本発明に係る測定方法は、前記情報処理装置は、前記表示制御情報として、自身へのコンテンツ要求を間欠的に送信し、受信したコンテンツを表示することを指示する情報を送信し、前記変更ステップは、一の調整用画像の表示中における測定終了を検知する検知ステップと、測定終了を検知した場合に、前記情報処理装置に、前記表示装置からのコンテンツ要求に応じて他の調整用画像を含むコンテンツに変更させるステップとを更に含むことを特徴とする。【００２１】
本発明に係る測定方法は、前記情報処理装置は、前記表示制御情報として、コンテンツを表示する時間、又は次のコンテンツ要求を送信するまでの待機時間を送信することを特徴とする。【００２２】
本発明に係る測定方法は、前記情報処理装置は、前記表示制御情報として、次に要求すべきコンテンツを特定する情報を送信することを特徴とする。【００２３】
本発明に係る測定方法は、前記測定装置が、送信したコンテンツに含まれる調整用画像を特定する情報と、前記コンテンツが含む調整用画像の表示中の測定結果とを対応付けて記憶するステップを更に実行することを特徴とする。【００２４】
本発明に係る測定方法は、前記測定装置が、測定結果に基づき、前記表示装置の色空間の変換に係る色空間情報を生成するステップを更に実行することを特徴とする。【００２５】
本発明に係るコンピュータプログラムは、光学センサと接続するコンピュータに、複数の調整用画像を表示装置に表示させ、各調整用画像を表示中の前記表示装置における光強度を、夫々順次前記光学センサで測定する処理を実行させるコンピュータプログラムにおいて、コンピュータに、調整用画像を含むコンテンツ、及び前記表示装置での前記コンテンツの表示タイミングを制御する表示制御情報を、前記表示装置へ送信させるステップと、前記光学センサにおける測定タイミングに合わせて、送信するコンテンツを前記表示制御情報に基づき変更するステップとを実行させることを特徴とする。【００２６】
本発明に係るコンピュータプログラムは、光学センサと接続するコンピュータに、複数の調整用画像を表示装置に表示させ、各調整用画像を表示中の前記表示装置における光強度を、夫々順次前記光学センサで測定する処理を実行させるコンピュータプログラムにおいて、コンピュータに、調整用画像を含むコンテンツ、及び前記表示装置での前記コンテンツの表示タイミングを制御する表示制御情報を、前記表示装置へ送信することを他へ指示するステップと、前記光学センサにおける測定タイミングに合わせて、送信するコンテンツを前記表示制御情報に基づき変更することを他へ指示するステップとを実行させることを特徴とする。【００２７】
本発明に係る測定システムは、表示装置と、該表示装置に接続して複数の調整用画像を前記表示装置に表示させ、各調整用画像を表示中の前記表示装置における光強度を、所定のタイミングで夫々順次測定する光学センサと接続する手段を備える表示光強度の測定装置とを含む測定システムであって、前記測定装置は、各調整用画像を含むコンテンツ、及び前記表示装置での前記コンテンツの表示タイミングを制御する表示制御情報を、前記表示装置へ送信する手段と、前記光学センサにおける測定タイミングに合わせて、送信するコンテンツを前記表示制御情報に基づき変更する手段とを備え、前記表示装置は、前記測定装置から送信されたコンテンツ及び前記表示制御情報を受信する手段と、受信したコンテンツを、受信した表示制御情報に基づき表示する手段とを備えることを特徴とする。【００２８】
本発明に係る測定システムは、表示装置と、該表示装置に接続して複数の調整用画像を前記表示装置に表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、前記測定装置は、各調整用画像を含むコンテンツ、及び前記表示装置での前記コンテンツの表示タイミングを制御する表示制御情報を前記表示装置へ送信することを前記情報処理装置へ指示する手段と、前記光学センサにおける測定タイミングに合わせて、送信するコンテンツを前記表示制御情報に基づき変更することを前記情報処理装置へ指示する手段とを備え、前記表示装置は、前記情報処理装置から送信されたコンテンツ及び前記表示制御情報を受信する手段と、受信したコンテンツを、受信した表示制御情報に基づき表示する手段とを備えることを特徴とする。【００２９】
測定方法、コンピュータプログラム及び測定システムでは、測定用の複数の調整用画像はコンテンツとして表示装置へ通信により送信される。測定用の調整用画像を含むコンテンツの表示タイミングが、光学センサを用いた測定タイミングと合うように制御されるべく、表示制御情報が表示装置へ送信される。これにより測定装置側では、各調整用画像に対して順次測定するように光学センサが制御されると共に、該光学センサによる測定タイミングに合わせて、送信するコンテンツの内容が変更され、又はコンテンツ自体が変更される。
調整用画像は、輝度の異なる無彩色又は複数の有彩色の画像である。背景色を指定することにより表示される画像を含む。
コンテンツはＨＴＭＬ（HyperText Markup Language ）ファイル、又はAdobe Flash （アドビシステムズ社の製品、登録商標）のようなドキュメントファイルであってもよい。通信プロトコルは、ＨＴＴＰ（HyperText Transfer Protocol ）が想定されるが、これに限られない。
なお、コンテンツ及び表示制御情報は、測定装置から表示装置へ直接的に送信される構成でも、他の情報処理装置を介して表示装置へ送信される構成としてもよい。【００３０】
表示制御情報には共に送信されるコンテンツに含まれる調整用画像を特定する情報が含まれているので、測定装置は各時点で、表示装置で表示されているはずの調整用画像を特定することが可能である。これにより、表示光強度の測定タイミングを制御することが可能である。【００３１】
表示制御情報は、表示装置に測定装置へのコンテンツ要求を間欠的に送信することを指示する情報を含む。表示装置から間欠的に送信されるコンテンツ要求に対し、各時点で、表示装置で表示されているはずの調整用画像に対する測定が終了したときに初めて、他の調整用画像に変更されてコンテンツが送信される。これにより、表示装置にて表示する調整用画像の内容を制御することが可能である。
なお、表示制御情報には、コンテンツ要求の送信間隔を指示する情報が含まれている。送信間隔を、前記光学センサを用いた１つの調整用画像での測定に要する測定時間よりも短い時間間隔とすることにより、複数の調整用画像を用いた測定に要する時間を短縮化することが可能である。又は、送信間隔を測定に要する時間よりも長くすることにより、調整用画像の表示更新により画面がちらつく場合などに、これを抑制することが可能である。【００３２】
表示制御情報はコンテンツを表示する長さを指定する表示時間か、又は次に他の調整用画像へ変更すべくコンテンツ要求を送信するまでの待機時間を指示する情報を含む。なお、表示時間は絶対時刻で特定されてもよい。表示時間と待機時間は実質的にはいずれも、表示装置で受信されたコンテンツに含まれる調整用画像が表示されているはずの時間である。当該時間を測定装置側で特定できれば、測定のタイミングと合わせることが可能である。【００３３】
表示制御情報は、次に要求すべきコンテンツを特定する情報を含む。測定装置が送信するコンテンツは、調整用画像が変化しても同一の名前のコンテンツでもよいし、調整用画像毎に異なるコンテンツであってもよい。異なるコンテンツである場合に、表示するコンテンツの切り替えを表示制御情報で制御し、表示装置にて表示する調整用画像の内容を制御することが可能である。【００３４】
送信したコンテンツを特定する情報、即ち表示装置で表示されているはずの各調整用画像を特定する情報と、測定結果とが対応付けて記憶される。これにより、測定結果に基づいて色管理を行うためのＩＣＣプロファイルなどの情報を作成することが可能である。【００３５】
なお、測定結果に基づき、色空間情報を生成する処理が更に行なわれてもよい。色空間情報は、表示装置などの個々のデバイスが持つ色空間の情報であり、例えばＩＣＣ規格のＩＣＣプロファイル、又はＷＣＳ（Windows （登録商標） Color System ）などの規格に準じた情報である。これにより、測定装置にて自動的に色空間情報までも得ることが可能である。色空間情報は、例えば、３Ｄ−ＬＵＴであることによって、細やかな色管理をすることが可能となる。【００３６】
更に、複数の異なる表示装置に対する測定を行った結果を用いて、測定した表示装置一部又は全部に対応する色空間情報が生成されるようにしてもよい。これにより、表示装置１つずつの色空間情報ではなく、同種、同ロットなどのある程度のまとまったグループに適用する平均的な色空間情報を生成することが可能となる。
【発明の効果】
【００３７】
開示する測定方法による場合、測定用の画像は通信にて表示装置で受信して表示し、表示される調整用の画像の切り替えは測定装置からの表示制御指示に応じて制御され、光学センサを用いての測定のタイミングと、表示装置での調整用画像の表示タイミングとが適切となる。これにより、測定対象の表示装置としてビデオ入出力端子が必須ではなくなり、多種多様な機器に対し汎用的に表示装置の色表現を測定することができる。
【図面の簡単な説明】
【００３８】
【図１】実施の形態１における測定装置の使用イメージを概略的に示す概念図である。
【図２】実施の形態１における測定システムの構成を示すブロック図である。
【図３】実施の形態１における測定システムの機能を簡略化して示す機能ブロック図である。
【図４】実施の形態１における測定システムにて実行される処理手順の一例を示すフローチャートである。
【図５】実施の形態１における測定システムにて実行される処理手順の一例を示すフローチャートである。
【図６】実施の形態１における測定システムにて実行される処理手順の一例を示すフローチャートである。
【図７】実施の形態１における表示制御情報の一例を示す説明図である。
【図８】実施の形態１における表示制御情報の他の一例を示す説明図である。
【図９】実施の形態２における測定システムにて実行される処理手順の一例を示すフローチャートである。
【図１０】実施の形態２における測定システムにて実行される処理手順の一例を示すフローチャートである。
【図１１】実施の形態２における測定システムにて実行される処理手順の一例を示すフローチャートである。
【図１２】実施の形態３における測定システムの構成を示すブロック図である。
【発明を実施するための形態】
【００３９】
以下、本発明のいくつかの実施の形態を、図面に基づいて具体的に説明する。
【００４０】
（実施の形態１）
図１は、実施の形態１における測定装置１の使用イメージを概略的に示す概念図である。測定装置１にはデスクトップ型ＰＣを用い、ユーザは、ＵＳＢ（Universal Serial Bus）で接続された光学センサ２を、カラーマネジメントの対象である情報端末装置３（表示装置）の表示部３２上に取り付け、複数のカラーコントロールパッチ（調整用画像。以下、カラーパッチという）を表示させて測定装置１に測定を実行させる。カラーパッチには、グレー画像も含まれる。なお、測定装置１は、以下に説明するように、通信により情報端末装置３の表示部３２におけるカラーパッチの表示を制御する。したがって、ビデオ入出力端子を有しない情報端末装置３であっても、測定装置１はカラーパッチを用いて自動的に情報端末装置３の表示部３２における表示光強度を測定することができる。ここで表示光強度とは、色を定量的に表示したものであり、CIE1931 表色系における三刺激値ＸＹＺなどのことである。CIELAB色空間におけるL*、a*、b*などの他の色表現形式であってもかまわない。
【００４１】
実施の形態１では、測定対象の情報端末装置３は、ビデオ入出力端子を有しないiPad（製品名、登録商標）や、Android （登録商標）、又はBlackBerry（登録商標）などのＯＳ（Operating System）を搭載したタブレットＰＣである。他に、携帯電話機、又はゲーム機器などの携帯型通信装置でもよい。通信機能を有したテレビジョン受像機であってもよい。測定装置１の測定対象となる装置は、測定装置１との通信を実現できればよく、ビデオ入出力端子の有無は問わない。例えば、ビデオ入出力端子を有するデスクトップ型ＰＣのモニタ、即ちＰＣに接続される表示装置であってもよい。この場合、測定装置１は、ＰＣと通信を行なって表示装置にカラーパッチを表示させる。また、通信機能を有さず、ＵＳＢインタフェースを有する電子書籍リーダーなどでもよい。この場合、電子書籍リーダーに、通信機能を実現するためのＰＣを接続し、当該ＰＣにて電子書籍リーダーにＷｅｂブラウザのＵＩ（User Interface）を表示できれば測定可能である。
【００４２】
以下、測定装置１を用いて情報端末装置３の表示部３２における表示光強度を測定する測定システムについて説明する。図２は、実施の形態１における測定システムの構成を示すブロック図である。測定システムは、測定装置１と、光学センサ２と、測定対象である情報端末装置３とを含む。
【００４３】
測定装置１はＰＣを用い、制御部１０、記憶部１１、一時記憶部１２、入出力部１３、通信部１４、読出部１５、及び表示部１６を備える。なお、実施の形態１では測定装置１は表示部１６を備える構成（表示装置と接続されている構成）としているが、測定の実施に当たっては、表示部１６は無くてもよい。
【００４４】
制御部１０は、ＣＰＵ（Central Processing Unit ）を用いて、各構成部を制御する。更に制御部１０は、記憶部１１に記憶してある測定プログラム１Ｐ及びＷｅｂサーバプログラム２Ｐを一時記憶部１２に読み出して実行することにより、ＰＣを測定装置１として機能させる。
【００４５】
記憶部１１は、ハードディスクを用いる。記憶部１１は、ＳＳＤ（Solid State Drive ）などの他の各種不揮発性メモリを用いてもよい。記憶部１１は、上述の測定プログラム１Ｐ及びＷｅｂサーバプログラム２Ｐを記憶しているほか、カラーパッチ１７を記憶している。記憶部１１は、Ｗｅｂサーバとして機能する時に情報端末装置３へ送信するＷｅｂコンテンツを予め記憶していてもよい。また、制御部１０の演算に用いる情報、及び制御部１０が演算によって出力するＩＣＣプロファイルなどの測定結果に基づく情報を記憶する。なお、Ｗｅｂサーバプログラム２Ｐは、測定プログラム１Ｐに包含される構成であってもよい。
【００４６】
一時記憶部１２は、ＳＲＡＭ（Static Random Access Memory ）又はＤＲＡＭ（Dynamic Random Access Memory）等のＲＡＭを用いる。一時記憶部１２は、制御部１０の処理により発生した情報、例えば光学センサ２から入力した測定情報などを一時的に記憶する。
【００４７】
入出力部１３は、例えばＵＳＢ（Universal Serial Bus）インタフェースを用いる。入出力部１３は、光学センサ２と接続されており、制御部１０が出力した制御信号を光学センサ２へ送出すると共に、光学センサ２から出力された信号を入力して制御部１０へ通知する。入出力部１３は勿論、ＵＳＢインタフェースに限られない。
【００４８】
通信部１４は、例えばＬＡＮ（Local Area Network）インタフェースを用いる。通信部１４はネットワーク４に接続されている。通信部１４はネットワーク４を介して所定の通信プロトコルに基づき情報を送受信する。実施の形態１ではＨＴＴＰ通信を行なうが、これに限られない。制御部１０は、通信部１４を介して情報端末装置３へＷｅｂコンテンツを送信する。
【００４９】
読出部１５は、ディスクドライブを用いる。読出部１５は、ＣＤ（Compact Disk）、ＤＶＤ（Digital Versatile Disk）、ＢＤ（Blu-Ray （登録商標） Disk ）、フラッシュメモリ、又はフレキシブルディスクなどである記録媒体５に記録されている情報を読み出す。記録媒体５には、測定プログラム５Ｐが記録されている。制御部１０は、読出部１５によって記録媒体５に記録されている情報を読み出し、記憶部１１又は一時記憶部１２に記憶する。記憶部１１に記憶されている測定プログラム１Ｐは、記録媒体５から読み出された測定プログラム５Ｐの複製であってもよい。
【００５０】
表示部１６は、液晶パネルを用いた表示装置である。制御部１０は、表示部１６に処理の過程、又は処理によって得られた情報を表示させる。
【００５１】
光学センサ２は、測色センサであり、ＵＳＢインタフェースを有して測定装置１と接続されている。測定装置１は、入出力部１３を介して光学センサ２へ測定開始の制御信号を出力し、光学センサ２から測定結果の信号を入力することが可能である。
【００５２】
測定対象である情報端末装置３は、制御部３０、記憶部３１、表示部３２、及び通信部３３を備える。
【００５３】
制御部３０は、ＣＰＵを用いて、記憶部３１、表示部３２および通信部３３を制御してＰＣとして動作させる。その上で制御部３０は、オペレータによる操作に応じて記憶部３１に記憶してあるＷｅｂブラウザプログラム３Ｐを読み出して実行することにより、Ｗｅｂブラウザ機能を実現する。
【００５４】
記憶部３１は、ＳＳＤを用いる。ハードディスクを用いてもよい。記憶部３１には、制御部３０が参照する各種プログラム及び情報が記憶されているほか、上述のＷｅｂブラウザプログラム３Ｐが記憶されている。
【００５５】
表示部３２は、液晶パネルを用いるタッチパネル型のディスプレイを用いる。有機ＥＬ（Electro Luminescence）を用いたものでもよい。制御部３０は、ＷｅｂブラウザのＵＩ（User Interface）を表示部３２に表示させる。
【００５６】
通信部３３は、例えば無線ＬＡＮインタフェースを用いる。通信部３３は、アクセスポイント４１を介してネットワーク４に接続し、測定装置１と所定の通信プロトコル（ＨＴＴＰ通信）に基づき情報を送受信する。
【００５７】
ネットワーク４は、ＬＡＮである。インターネットなどの通信網を介した構成でもよい。アクセスポイント４１は、無線通信によるネットワーク４との接続を実現する。
【００５８】
図３は、実施の形態１における測定システムの機能を簡略化して示す機能ブロック図である。測定システムは主として、測定装置１の制御部１０が測定プログラム１Ｐを実行することによって実現する測定エンジン１０１としての機能、Ｗｅｂサーバプログラム２Ｐを実行することによって実現するＷｅｂサーバ１０２としての機能、及び、情報端末装置３の制御部３０がＷｅｂブラウザプログラム３Ｐを実行することによって実現するＷｅｂブラウザ３０１としての機能により構成される。
【００５９】
測定装置１の制御部１０は、測定エンジン１０１の機能により、光学センサ２との間の信号の入出力の制御と、情報端末装置３におけるカラーパッチの表示タイミングの制御とを行なう。また、制御部１０は、Ｗｅｂサーバ１０２の機能により、測定エンジン１０１からの指示に基づいて情報端末装置３との通信を実現し、Ｗｅｂコンテンツの作成、及び、Ｗｅｂコンテンツの情報端末装置３への送信等の処理を行なう。具体的には、Ｗｅｂサーバ１０２はＨＴＴＰ４．０に基づきＷｅｂコンテンツを作成する。なお、実施の形態１におけるＷｅｂサーバ１０２の機能は測定エンジン１０１から独立した構成としたが、測定エンジン１０１の一部として機能してもよい。
【００６０】
情報端末装置３の制御部３０は、Ｗｅｂブラウザ３０１の機能により、測定装置１と通信する。制御部３０は、Ｗｅｂブラウザ３０１の機能により、測定装置１から受信したＷｅｂコンテンツに基づき、カラーパッチ３４を表示部３２で表示させる。
【００６１】
このように構成される測定システムにて、測定装置１と情報端末装置３との間で通信により行なわれる測定処理の手順について説明する。図４乃至図６は、実施の形態１における測定システムにて実行される処理手順の一例を示すフローチャートである。
【００６２】
測定装置１の制御部１０は、測定プログラム１Ｐの実行を開始した場合、測定エンジン１０１によりＷｅｂサーバ１０２の起動を指示し（ステップＳ１０１）、Ｗｅｂサーバ１０２が起動する（ステップＳ１０２）。
【００６３】
制御部１０は測定エンジン１０１により、起動したＷｅｂサーバ１０２へ測定準備用のＷｅｂコンテンツの作成を指示し（ステップＳ１０３）、Ｗｅｂサーバ１０２にて測定準備用のＷｅｂコンテンツを作成する（ステップＳ１０４）。なお制御部１０は、Ｗｅｂコンテンツを作成するのではなく、記憶部１１又は他の装置に予め記憶してあるＷｅｂコンテンツを取得するのみでもよい。
【００６４】
そして制御部１０は、自身が備える表示部１６に、測定対象の情報端末装置３のＷｅｂブラウザ３０１を起動させ、測定装置１のＷｅｂサーバ１０２へ接続するように指示する旨を表示させる（ステップＳ１０５）。そして制御部１０は、Ｗｅｂサーバ１０２にて、情報端末装置３のＷｅｂブラウザ３０１から接続されたか否かを判断する（ステップＳ１０６）。制御部１０は、Ｗｅｂブラウザ３０１から接続されていないと判断した場合（Ｓ１０６：ＮＯ）、処理をステップＳ１０６へ戻して待機する。
【００６５】
一方、情報端末装置３では、オペレータが、測定装置１の表示部１６に表示された接続指示に応じた操作をすることにより、制御部３０がＷｅｂブラウザ３０１として起動する（ステップＳ２０１）。具体的には、表示部３２には、測定準備用のＷｅｂページ（ＵＩ）へ接続するためのアイコン等が表示されており、オペレータがアイコンをタッチする等の操作をする。これにより、Ｗｅｂブラウザ３０１が起動する。制御部３０はＷｅｂブラウザ３０１として起動した場合、まず、測定準備用のＷｅｂコンテンツの送信をＷｅｂサーバ１０２へ要求する（ステップＳ２０２）。
【００６６】
測定装置１の制御部１０はＷｅｂサーバ１０２により、Ｗｅｂブラウザ３０１から接続されたと判断した場合（Ｓ１０６：ＹＥＳ）、作成してある測定準備用のＷｅｂコンテンツを送信する（ステップＳ１０７）。制御部１０は、測定エンジン１０１にて（又はＷｅｂサーバ１０２にて）、測定準備用のＵＩ上で測定開始の操作がされたか否かを判断し（ステップＳ１０８）、操作がされていないと判断した場合（Ｓ１０８：ＮＯ）、処理をステップＳ１０８へ戻して操作がされるまで待機する。
【００６７】
情報端末装置３の制御部３０はＷｅｂブラウザ３０１により、Ｗｅｂサーバ１０２から送信された測定準備用のＷｅｂコンテンツを受信し（ステップＳ２０３）、受信したＷｅｂコンテンツに基づき測定準備用のＵＩを表示部３２に表示する（ステップＳ２０４）。測定準備用のＵＩは、測定開始ボタンを含む。オペレータは表示部３２のタッチパネルにて測定開始ボタンをタッチして測定開始を指示することが可能である。
【００６８】
なおステップＳ２０４では、測定装置１の表示部１６に測定開始ボタンを表示し、測定装置１を操作することによって測定を開始させるようにしてもよい。
【００６９】
制御部３０は、測定準備用のＵＩ上で操作がされたか否かを判断する（ステップＳ２０５）。制御部３０は、操作がされていないと判断した場合は（Ｓ２０５：ＮＯ）、処理をステップＳ２０５へ戻す。制御部３０は、操作がされたと判断した場合（Ｓ２０５：ＹＥＳ）、操作内容の情報をＷｅｂサーバ１０２へ送信する（ステップＳ２０６）。制御部３０は、カラーパッチ用のＷｅｂコンテンツをＷｅｂサーバ１０２へ要求する（ステップＳ２０７）。このとき、測定準備用のＷｅｂコンテンツには、ＵＩにて測定開始ボタンがタッチされた場合、特定のカラーパッチ用のＷｅｂコンテンツを要求させる表示制御情報が含まれているとよい。具体的には、ＨＴＭＬ（HyperText Markup Language ）ファイルのヘッダ部に、次のＨＴＭＬファイル名が記載されているとよい。測定装置１が表示部１６に、特定のカラーパッチ用のＷｅｂページへのアクセスを指示する旨を表示させておき、オペレータがＷｅｂブラウザ３０１のＵＩから指示されたページへのアクセスを試みるようにしてもよい。
【００７０】
制御部１０は、Ｗｅｂブラウザ３０１から送信された操作内容の情報及びコンテンツ要求をＷｅｂサーバ１０２で受信したことを検知することにより、測定準備用のＵＩ上で測定開始の操作がされたと判断した場合（Ｓ１０８：ＹＥＳ）、測定を開始するため、カラーパッチを表示させるためのカラーパッチ用のＷｅｂコンテンツの作成及び送信をＷｅｂサーバ１０２へ指示する（ステップＳ１０９）。
【００７１】
制御部１０は、Ｗｅｂサーバ１０２により、指示に基づきカラーパッチ用のＷｅｂコンテンツを作成する（ステップＳ１１０）。制御部１０は具体的には例えば、背景色を指定しただけのＨＴＭＬファイルをカラーパッチ用のＷｅｂコンテンツとして作成する。又は、制御部１０は、既に多種のカラーパッチ毎にＨＴＭＬファイルを作成して記憶部１１に記憶しておき、これを読み出して取得する構成としてもよい。制御部１０は、Ｗｅｂサーバ１０２により、後述する表示制御情報と共にＷｅｂコンテンツを送信する（ステップＳ１１１）。
【００７２】
Ｗｅｂサーバ１０２から送信されるＷｅｂコンテンツには、Ｗｅｂブラウザ３０１での表示タイミングを、光学センサ２を用いた測定のタイミングに合わせるように制御するための表示制御情報が含まれている。具体的には、Ｗｅｂブラウザ３０１にリロードを指示する情報であり、ＨＴＭＬ４．０の仕様に基づく。
【００７３】
図７は、実施の形態１における表示制御情報の一例を示す説明図である。図７には、カラーパッチを表示するためのＷｅｂコンテンツを示している。図７に示す例では、Ｗｅｂコンテンツは上述したようにＨＴＭＬ４．０の仕様に基づくＨＴＭＬファイルである。図７に示すＷｅｂコンテンツをＷｅｂブラウザ３０１が受信した場合、Ｒ＝２５５（赤）の表示光強度を測定するための画像が表示部３２に表示される。
【００７４】
図７に示す例では、表示制御情報として、リロード（リフレッシュ）を指示するための情報が含まれている。具体的にはＨＴＭＬ４．０に基づくＭＥＴＡタグにて「Refresh 」が指示されており、「Refresh 」の間隔は「３」に指定されている。そして、次に要求すべきＷｅｂコンテンツは、図７に示したＨＴＭＬファイル自体が指定され、リロードが実現される。つまり、図７に示した表示制御情報に基づきＷｅｂブラウザ３０１は、「３」秒後にリロードを実行し、「ＵＲＬ＝””」で指示されるＨＴＭＬファイル（Ｗｅｂコンテンツ）を要求する。なお図７の例では、要求すべきＷｅｂコンテンツの名前に、表示しているカラーパッチが（Ｒ，Ｇ，Ｂ）＝（２５５，０，０）であることを示す情報が含まれている。実施の形態１における表示制御情報では、Ｗｅｂサーバ１０２から送信したＷｅｂコンテンツ（ＨＴＭＬファイル）の名前自体を、パッチを特定する情報（「Patch(255.000.000).html 」）としている。
【００７５】
図４乃至図６のフローチャートに戻り説明を続ける。
情報端末装置３の制御部３０は、Ｗｅｂブラウザ３０１により、図７に示したようなＷｅｂコンテンツを受信し（ステップＳ２０８）、受信したＷｅｂコンテンツに基づきカラーパッチを表示する（ステップＳ２０９）。
【００７６】
このときＷｅｂブラウザ３０１では、自身の色空間の変換機能を無効化することが好ましい場合がある。既存のＷｅｂブラウザには、自動的にコンテンツに合わせて色空間を変換する機能を有するものがある。測定の目的によっては、色空間の変換機能が有効でない方が望ましく、カラーパッチを表示させる際に、当該機能を無効化することもあり得る。する。なお無効化指示は、測定装置１から測定準備用のＷｅｂコンテンツと共に送信されてもよいし、カラーパッチ用のＷｅｂコンテンツと共に送信されてもよい。
【００７７】
測定装置１では、制御部１０が測定エンジン１０１により表示中のカラーパッチを特定する（ステップＳ１１２）。具体的には、要求されるコンテンツのファイル名から、カラーパッチを特定する色情報を取得する。図７に示した表示制御情報に基づきコンテンツ要求する情報端末装置３からは、「Patch(255.000.000).html 」のコンテンツ要求がされる。したがって、制御部１０は表示中のカラーパッチが（Ｒ，Ｇ，Ｂ）＝（２５５，０，０）であると特定する。制御部１０は、特定したカラーパッチがこれから光強度を測定する対象のカラーパッチであるか否かを判断する（ステップＳ１１３）。制御部１０は測定エンジン１０１により、測定対象のカラーパッチではないと判断した場合（Ｓ１１３：ＮＯ）、処理をステップＳ１１２へ戻し、送信してあるはずのカラーパッチ用Ｗｅｂコンテンツに基づき表示がされるまで待機する。
【００７８】
測定装置１の制御部１０は、測定対象のカラーパッチであると判断した場合（Ｓ１１３：ＹＥＳ）、光学センサ２を制御して測定を実行する（ステップＳ１１４）。なお、測定の実行は、例えば１秒程度待機してから行なうことが好ましい。送信したＷｅｂコンテンツに基づくＷｅｂページ即ちカラーパッチが表示されて安定してから測定が行なわれるようにするためである。
【００７９】
この間も、情報端末装置３のＷｅｂブラウザ３０１からは、表示制御情報に基づき例えば「３」秒経過する都度、コンテンツ要求が送信される。制御部１０は測定エンジン１０１により、測定が完了したか否かを判断する（ステップＳ１１５）。制御部１０は、測定が完了していないと判断した場合（Ｓ１１５：ＮＯ）、現状のカラーパッチ用のＷｅｂコンテンツを送信し（ステップＳ１１６）、処理をステップＳ１１５へ戻して完了するまで待機する。制御部１０は、測定が完了したと判断した場合（Ｓ１１５：ＹＥＳ）、処理を次のステップＳ１１７へ進める。
【００８０】
この間に制御部３０は、上述したような表示制御情報に基づき、リロードによって次のＷｅｂコンテンツ（ＨＴＭＬファイル）の送信を要求する（ステップＳ２１０）。そして制御部３０は、コンテンツ要求に対して送信されたＷｅｂコンテンツを受信する（ステップＳ２１１）。制御部３０は、受信したＷｅｂコンテンツが測定終了を示すページであるか否かを判断する（ステップＳ２１２）。制御部３０は、測定終了を示すページではないと判断した場合（Ｓ２１２：ＮＯ）、即ちカラーパッチ用のＷｅｂコンテンツを受信している間は、処理をステップＳ２０９へ戻し、受信したＷｅｂコンテンツに基づく表示とリロードを繰り返す。なおステップＳ２１２の処理は詳細には、判断処理を行なわなくてよい。終了を示すＷｅｂページが図７に示したようなリロードさせる表示制御情報を含まない構成とすることにより、制御部３０は、ステップＳ２１０の処理へ進むこと、即ちリロードを行なうことはない。
【００８１】
このような処理により、測定装置１は測定完了のタイミングと次のカラーパッチ用のＷｅｂコンテンツを送信するまでのタイミングとを合わせることが可能となる。しかも、光学センサ２による測定に要する時間が「５」秒である場合、Ｗｅｂブラウザ３０１におけるリロード時間を上述した例のように「３」秒と短く設定しておくことにより、表示するカラーパッチ３４を効率的に変更させることができ、全カラーパッチに対する測定時間を短縮化することができる。ただし、リロード時間の設定はこれに限らず、測定に要する時間よりも長く設定して、画面のちらつきを抑えるようにしてもよく、適切なタイミングで表示を制御できるように設定すればよい。
【００８２】
制御部１０は測定エンジン１０１により、測定が完了したと判断した場合（Ｓ１１５：ＹＥＳ）、測定結果を表示部１６に表示すると共に、ステップＳ１１２にて特定したカラーパッチの情報と対応付けて記憶部１１に記憶する（ステップＳ１１７）。
【００８３】
ステップＳ１１５にて制御部１０は、１つ前のカラーパッチに対する測定結果と比較を行なってから測定が完了したと判断するようにしてもよい。具体的には制御部１０は、前の測定結果と比較して色差があるか否かを判定し、実際に情報端末装置３の表示部３２におけるカラーパッチが変化していることを確認してから測定が完了したと判断する。またステップＳ１１７の処理は、測定装置１としては必須ではない。測定装置１の制御部１０は測定エンジン１０１により、測定結果を他の情報処理装置（図示せず）へ出力するのみであってもよい。
【００８４】
そして制御部１０は、測定すべき全てのカラーパッチについて測定を行なったか否かを判断する（ステップＳ１１８）。制御部１０は、全てのカラーパッチについて測定を行なっていないと判断した場合（Ｓ１１８：ＮＯ）、処理をステップＳ１０９へ戻し、他のカラーパッチ用のＷｅｂコンテンツへ変更・送信させ（Ｓ１０９〜Ｓ１１１）、以降の測定を実行する処理（Ｓ１１２〜Ｓ１１５）を行なう。例えば、図７に示した例のＨＴＭＬファイルを送信して測定を行なっていた場合、Ｗｅｂサーバ１０２は、リロードを行なわせるためのＭＥＴＡタグ内のＨＴＭＬファイル名を「Patch(255.000.000).html 」から、例えば「Patch(254.000.000).html 」などと変更して、他のカラーパッチ用のＷｅｂコンテンツを要求させ、当該Ｗｅｂページを表示させる。
【００８５】
制御部１０は、全てのカラーパッチについて処理を行なったと判断した場合（Ｓ１１８：ＹＥＳ）、Ｗｅｂサーバ１０２から終了を示すＷｅｂコンテンツを送信する（ステップＳ１１９）。このときＷｅｂサーバ１０２から送信されるＷｅｂコンテンツは、リロードを行なわせる表示制御情報を含まなくてよい。これにより、Ｗｅｂブラウザ３０１におけるリロードは停止する。
【００８６】
情報端末装置３の制御部３０は、測定終了を示すＷｅｂページであると判断した場合（Ｓ２１２：ＹＥＳ）、受信したＷｅｂコンテンツに基づく終了を示すＷｅｂページを表示部３２に表示する（ステップＳ２１３）。
【００８７】
測定装置１の制御部１０は、終了を示すＷｅｂコンテンツを送信した後、測定結果に対する適宜処理を行ない（ステップＳ１２０）、測定結果に基づく色空間情報を生成し、記憶部１１に記憶して（ステップＳ１２１）、処理を終了する。
【００８８】
ステップＳ１２０における適宜処理とは例えば、カラーパッチの色別の分類などを含む。制御部１０は、測定結果の取捨選択を行なってもよい。ステップＳ１２１における色空間情報とは、例えばエミュレーションのための調整目標を示すファイル、又はＩＣＣプロファイルである。より詳細には、情報端末装置３の表示部３２にて例えば８ビットのＲＧＢ（255,0,0 ）の色（赤）を表示すべきと指示された場合に、表示部３２にて実際に表示された色が再現されるように他の表示装置において例えば１０ビットのＲＧＢ空間としてＲＧＢ（1023,0,0）ではなくＲＧＢ（1001,0,0）で表示させるなどといった変換を行なうための情報である。このとき、Ｒ，Ｇ，Ｂを夫々次元とする３Ｄ−ＬＵＴとして、表示部３２での変換を行なうための色空間情報を作成する構成としてもよい。
【００８９】
なおステップＳ１２１及びＳ１２２の処理は、測定装置１としては必須ではない。他の情報処理装置が測定装置１の結果を用いて適宜処理及び色空間情報の生成・記憶を行なってもよい。
【００９０】
また、ステップＳ２０４にて情報端末装置３の表示部３２に表示される測定準備用のＵＩは、測定装置１の表示部１６に表示されてもよい。そして、測定準備用のＵＩは、オペレータが測定に関する設定を行なうことが可能な構成であってもよい。例えば、情報端末装置３の種類、表示部３２の種類などの選択を受け付けるＵＩを含んでいてもよい。また、測定装置１にて測定のみを実行するか、又は測定後にＩＣＣプロファイルの作成までを実行させるかの選択を受け付けるＵＩを含んでもよい。作成するＩＣＣプロファイルの種類の選択を受け付けるＵＩを含んでもよい。ここでいうＩＣＣプロファイルの種類には、３Ｄ−ＬＵＴであるか否かなどが含まれる。
【００９１】
このような構成により、測定用のカラーパッチはＷｅｂコンテンツとして情報端末装置３のＷｅｂブラウザ３０１へ送信され、表示される。しかも、測定装置１の制御部１０により、Ｗｅｂブラウザ３０１での表示タイミングが、測定のタイミングと合うように制御される。したがって、ビデオ入出力端子を有さない情報端末装置３であってもＷｅｂブラウザ３０１を実行することが可能であれば、カラーパッチを用いたカラーマネジメントのための測定を行なうことができる。
【００９２】
しかも、測定エンジン１０１としての機能は基本的に、従前のビデオ入出力端子を介してカラーパッチを測定対象の機器（例えば表示部１６）に表示させて測定を行なう手順と同様である。測定エンジン１０１としては、Ｗｅｂサーバ１０２を介してカラーパッチを測定対象の機器で表示させているのか、ビデオ入出力端子を介して表示させているのかの区別をすることなく処理を行なうことができる。したがって、従前から使用している測定用のソフトウェアリソースを用いることができる点でも、優れた効果を奏する。
【００９３】
表示制御情報の他の例として測定装置１からは、リロードを指示し、コンテンツ要求を常時的に同一のＨＴＭＬファイルとして、内容のみを変更する構成としてもよい。図８は、実施の形態１における表示制御情報の他の一例を示す説明図である。図８の上段には、測定装置１の制御部１０による変更前のＷｅｂコンテンツを示し、下段には変更後のＷｅｂコンテンツを示している。図８の上段に示すＷｅｂコンテンツをＷｅｂブラウザ３０１が受信した場合、Ｒ＝２５５（赤）の表示光強度を測定するための画像が表示部３２に表示される。下段に示すＷｅｂコンテンツをＷｅｂブラウザ３０１が受信した場合、Ｇ＝２５５（緑）の表示光強度を測定するための画像が表示部３２に表示される。
【００９４】
図８に示す例では、表示制御情報として、リロードを指示するためにＭＥＴＡタグにて「Refresh」を指示しており、その間隔は「５」である。即ち、当該表示制御情報に基づきＷｅｂブラウザ３０１は、「５」秒後にリロードを実行し、同一のＨＴＭＬファイルを要求するのみである。そして制御装置１の制御部１０は、測定後にＷｅｂコンテンツの内容のみを図８の下段に示すように変更する。これにより、Ｗｅｂブラウザ３０１では常時的にリロードを繰り返しているのみで、測定装置１にて表示部３２に表示させる内容を制御することが可能である。
【００９５】
なおこの場合、測定装置１の制御部１０は、送信してあるコンテンツを、Ｗｅｂブラウザ３０１からのコンテンツ要求により特定することはできない。したがって、Ｗｅｂサーバ１０２の送信中のＷｅｂページ内を文字検索し、ＢＯＤＹタグ内のカラーパッチを特定する情報を取得するなどの処理が必要になる。
【００９６】
また、図７及び図８に示した例は、ＷｅｂコンテンツをＨＴＭＬファイルで作成する場合の例である。Ｗｅｂサーバ１０２が作成するＷｅｂコンテンツは、ＨＴＭＬファイルには限らず、Adobe Flash （アドビシステムズ社の製品、登録商標）を用いたコンテンツであってもよい。
【００９７】
（実施の形態２）
実施の形態１では、１台の情報端末装置３に対して測定を行なって測定結果を記憶し、必要な場合に、当該情報端末装置３用の色空間情報を作成する処理を行なう構成とした。これに対し実施の形態２では、複数の情報端末装置３に対して測定を行ない、測定結果を平均化して、複数の情報端末装置３に適用する色空間情報を作成する構成とする。
【００９８】
実施の形態２における測定システムの構成は、１台ずつの測定として考えれば実施の形態１における構成と同様であって、測定装置１の制御部１０による処理手順の詳細が異なるのみである。したがって、ハードウェア構成については各構成部に同一の符号を付して詳細な説明を省略し、処理手順について以下に説明を行なう。
【００９９】
図９乃至図１１は、実施の形態２における測定システムにて実行される処理手順の一例を示すフローチャートである。以下に示す処理手順の内、実施の形態１における測定システムと共通する処理手順については、同一のステップ番号を付し、詳細な説明を省略する。
【０１００】
測定装置１の制御部１０は、測定プログラム１Ｐの実行を開始した場合、Ｗｅｂサーバ１０２を起動させ、１台目の情報端末装置３に対する測定処理（ステップＳ１０３〜ステップＳ１１９）を実行する。
【０１０１】
１台目の情報端末装置３では、測定装置１の表示部１６に表示された接続指示に基づき、Ｗｅｂブラウザ３０１を起動し（Ｓ２０１）、測定準備用のＷｅｂコンテンツを要求し（Ｓ２０２）、以後、測定装置１のＷｅｂサーバ１０２から送信されるＷｅｂコンテンツ及び表示制御情報に基づき、カラーパッチ３４を表示部３２に自動的に測定処理に合わせて表示する処理を行なう（Ｓ２０３〜Ｓ２１３）。１台目の情報端末装置３にて終了を示すＷｅｂページが表示された場合、Ｗｅｂブラウザ３０１は終了する（ステップＳ２２０）。具体的には、オペレータがＷｅｂブラウザ３０１のＵＩにて終了を指示する操作を行なって終了させる。これにより、１台目の情報端末装置３における測定は終了する。
【０１０２】
測定装置１の制御部１０は、１台目の情報端末装置３に対する測定処理を終了させた後（Ｓ１１９）、全ての測定対象について測定処理が終了したか否かを判断する（ステップＳ１３０）。具体的には制御部１０は、表示部１６に測定を終了するか否かを選択させる画面を表示し、オペレータが終了を選択した場合に、測定処理が終了したと判断する。
【０１０３】
制御部１０は、ステップＳ１３０にて全ての測定対象について測定処理が終了していないと判断した場合（Ｓ１３０：ＮＯ）、処理をステップＳ１０３へ戻し、２台目以降の情報端末装置３に対する測定処理を実行する（Ｓ１０３〜Ｓ１１９）。
【０１０４】
測定装置１の制御部１０は、ステップＳ１３０にて全ての測定対象について測定処理が終了したと判断した場合（Ｓ１３０：ＹＥＳ）、測定対象となった複数の情報端末装置３についての測定結果に対して適宜処理を行なう（ステップＳ１３１）。適宜処理とは例えば、カラーパッチの色別の分類、又は特異な測定結果を除外する等、測定結果の取捨選択を行なってもよい。測定対象とした全ての情報端末装置３の内、特定の情報端末装置３に対する測定結果が特異である場合に、当該特定の情報端末装置３の測定結果を次の処理から除外するようにしてもよい。
【０１０５】
測定装置１の制御部１０は、測定結果の処理を行なった後（Ｓ１３１）、複数の情報端末装置３に対する測定結果の平均値を算出する（ステップＳ１３２）。制御部１０は、ステップＳ１３２にて算出した平均値に基づき、測定対象の複数の情報端末装置３に同様に適用される色空間情報を生成し、記憶部１１に記憶して（ステップＳ１３３）、処理を終了する。
【０１０６】
なおステップＳ１３３の処理は、測定装置１としては必須ではない。他の情報処理装置が測定装置１の結果を用いて色空間情報の生成・記憶を行なえばよい。
【０１０７】
上述のような処理は、例えば情報端末装置３の製造ロットによって表示部３２の特性に傾向があるような場合に効果的である。同一の製造ロットの情報端末装置３の内、いくつかを抽出して測定を行ない、その測定結果を平均化しておくことにより、全ての情報端末装置３について測定を行なって各々の色空間情報を作成するよりも、処理を軽減できると共に、ある程度の夫々の特性を吸収する色空間情報を得ることができる。
【０１０８】
なお、測定装置１の制御部１０が、実施の形態１の図４乃至図６の処理を行なうのか、図９乃至図１１の処理を行なうのかは、測定装置１にて設定が可能なように構成されることが望ましい。具体的には、制御部１０は測定プログラム１Ｐの実行を開始した場合、表示部１６に、測定の種類を選択させるＵＩを表示させ、オペレータが選択した種類に応じて以降の処理を切り替えて行なう。測定の種類としてはまず、１台の情報端末装置３用に測定を行なって色空間情報を作成して記憶するのか（図４乃至図６）、複数台の情報端末装置３用に測定を行なって複数台分の色空間情報を作成して記憶するのか（図９乃至図１１）がある。色空間情報を作成するか、測定のみ行なうのか否かが選択可能であってもよい。他に、作成する色空間情報は、ＩＣＣプロファイルなのか、他の調整目標用ファイルなのか、３Ｄ−ＬＵＴなのかそれ以外なのかが選択可能としてもよい。
【０１０９】
実施の形態１及び２における測定システムでは、測定装置１と情報端末装置３との間の通信はＨＴＴＰ通信をＨＴＭＬ４．０に基づき行なうとした。しかしながら、実施の形態１及び２に示した通信に限らず、相互通信が可能なＪＳＰ（Java（登録商標） Server Pages ）、Adobe Flash (登録商標)によるSocket通信、又は、ＨＴＭＬ５のWebsocket の規格に基づき通信する構成としてもよい。情報端末装置３からの間欠的なリロードによるコンテンツ要求をさせることなしに、測定エンジン１０１による測定処理が終了した場合に、次のカラーパッチ用のＷｅｂコンテンツを送信して受信させる制御が可能となる。
【０１１０】
（実施の形態３）
実施の形態１及び２では、測定装置１が測定エンジン及びＷｅｂサーバの双方の機能を発揮した。実施の形態３では、Ｗｅｂサーバの機能を他の情報処理装置が備える構成とする。
【０１１１】
実施の形態３における測定システムの構成は、実施の形態１における測定装置１の一部機能を、他の情報処理装置が備える構成とする以外は、実施の形態１と同様である。したがって、以下に説明する実施の形態３では、実施の形態１と共通する構成については同一の符号を付し、夫々の構成についての詳細な説明は省略する。
【０１１２】
図１２は、実施の形態３における測定システムの構成を示すブロック図である。実施の形態３では、測定システムは、測定装置１ｂと、光学センサ２と、測定対象である情報端末装置３と、情報処理装置６とを含む。
【０１１３】
測定装置１ｂは、ＰＣを用い、制御部１０、記憶部１１、一時記憶部１２、入出力１３、通信部１４、読出部１５、及び表示部１６を備える。測定装置１ｂの記憶部１１は、測定プログラム１Ｐを記憶しているが、Ｗｅｂサーバプログラム及びカラーパッチについては記憶していない。測定装置１ｂの制御部１０は、測定プログラム１Ｐを一時記憶部１２に読み出して実行することにより、ＰＣを測定エンジンの処理を実行する測定装置１ｂとして機能させる。
【０１１４】
情報処理装置６は、ＰＣを用い、制御部６０、記憶部６１、一時記憶部６２、及び通信部６４を備える。
【０１１５】
制御部６０はＣＰＵを用いて各構成部を制御する。更に制御部６０は、記憶部６１に記憶してあるＷｅｂサーバプログラム６Ｐを一時記憶部６２に読み出して実行することにより、ＰＣをＷｅｂサーバとして機能させる。記憶部６１は、ハードディスクを用いる。記憶部６１は、ＳＳＤなど他の各種不揮発性メモリを用いてもよい。記憶部６１は、上述のＷｅｂサーバプログラム６Ｐを記憶しているほか、カラーパッチ６７を記憶している。記憶部６１は、Ｗｅｂサーバとして機能する時に情報端末装置３へ送信するＷｅｂコンテンツを予め記憶していてもよい。一時記憶部６２は、ＳＲＡＭ又はＤＲＡＭ等のＲＡＭを用いる。
【０１１６】
通信部６４は、例えばＬＡＮインタフェースを用いる。通信部６４はネットワーク４に接続されている。通信部６４はネットワーク４を介して所定の通信プロトコルに基づき情報を送受信する。測定装置１ｂの通信部１４と対応してＨＴＴＰ通信を行なうが、他の通信プロトコルを用いてもよい。制御部６０は、通信部６４を介して測定装置１ｂからの指示を受信し、情報端末装置３へＷｅｂコンテンツを送信する。
【０１１７】
実施の形態３における測定システムの機能は、実施の形態１と同様である。図３に示した実施の形態１におけるＷｅｂサーバ１０２の機能が、測定装置１内ではなく、情報処理装置６で実現され、測定装置１ｂで実現される測定エンジン１０１からネットワーク４を介してカラーパッチの表示切替等の指示を受け付ける点が相違する。
【０１１８】
したがって、実施の形態３における測定処理の手順は、実施の形態１の図４乃至図６に示した所定手順と同様である。相違点は上述したように、測定エンジン１０１とＷｅｂサーバ１０２との間の指示の送受信が、測定装置１内ではなく、ネットワーク４を介して行なわれる点である。具体的には、図４に示した制御部１０によるステップＳ１０１の起動指示、及びＳ１０３のＷｅｂコンテンツ作成指示は、通信部１４及びネットワーク４を介して情報処理装置６で実現されるＷｅｂサーバの機能へ送信される点である。同様に、図５に示した制御部１０によるステップＳ１０９におけるカラーパッチ用のＷｅｂコンテンツの作成及び送信指示、及びステップＳ１１５でＮＯと判断した場合のコンテンツ送信要求は、測定エンジン１０１の機能から、通信部１４及びネットワーク４を介して情報処理装置６で実現されるＷｅｂサーバの機能へ送信される。また同様に、図６に示した制御部１０によるステップＳ１１８にてＹＥＳと判断した場合の終了を示すＷｅｂコンテンツの送信指示も、測定エンジン１０１の機能から、通信部１４及びネットワーク４を介して情報処理装置６で実現されるＷｅｂサーバの機能へ送信される。
【０１１９】
実施の形態３では、Ｗｅｂサーバの機能を測定装置１ｂから分離したことにより、複数台の情報端末装置３に対して測定を並行的に実行することが可能となる。具体的には、制御部１０及び制御部６０が、ステップＳ１１５において、対象となる複数の情報端末装置３全てで測定を完了しない限り、測定を完了したと判断しないようにする。これにより、対象の情報端末装置３全てで測定が完了しなければ、ステップＳ１０９の他のカラーパッチ用のＷｅｂコンテンツへの変更が指示されない。又は、カラーパッチ用のＷｅｂコンテンツを、測定対象の複数の情報端末装置３を夫々識別する情報と対応付けて区別し、測定エンジン１０１及びＷｅｂサーバ１０２の機能を非同期で複数並行的に実行するようにしてもよい。具体的には、カラーパッチ用のＷｅｂコンテンツに対応するＨＴＭＬファイル名（例えば「Patch(255.000.000).html 」）を、測定対象の複数の情報端末装置３毎に変えるようにしてもよい（例えば「001#Patch(255.000.000).html 」、冒頭の「001 」が情報端末装置３の識別情報）。これにより、複数台の情報端末装置３に対し、同時並行的に測定処理を行なうことができ、測定に要する時間を大幅に短縮することができる。
【０１２０】
実施の形態１乃至３にて作成された調整目標用ファイルやＩＣＣプロファイルは、例えば、測定対象とした表示装置（情報端末装置３）の表示色をエミュレーションするための、参照データとして利用することが可能である。エミュレーションは、Photoshop （Adobe 社の商品名、登録商標）などのエミュレーション機能を有するアプリケーションを利用してもよいし、Color Navigator （株式会社ナナオの商品名）などの表示装置のメーカーの提供する色調整用（カラーマネジメント）アプリケーションを用いて実施してもよい。
【０１２１】
なお、開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【０１２２】
１  測定装置
１０  制御部
１０１  測定エンジン
１０２  Ｗｅｂサーバ
１１  記憶部
１Ｐ  測定プログラム
１３  入出力部
１４  通信部
２  光学センサ
３  情報端末装置
３０  制御部
３０１  Ｗｅｂブラウザ
３２  表示部
３３  通信部
【図１】
2013038852.tif 000003
【図２】
2013038852.tif 000004
【図３】
2013038852.tif 000005
【図４】
2013038852.tif 000006
【図５】
2013038852.tif 000007
【図６】
2013038852.tif 000008
【図７】
2013038852.tif 000009
【図８】
2013038852.tif 000010
【図９】
2013038852.tif 000011
【図１０】
2013038852.tif 000012
【図１１】
2013038852.tif 000013
【図１２】
2013038852.tif 000014
【手続補正書】
【提出日】平成26年1月20日(2014.1.20)
【手続補正１】
【補正対象書類名】明細書
【補正対象項目名】００１３
【補正方法】変更
【補正の内容】
【００１３】
本発明に係る測定方法は、光学センサと接続し、表示装置における表示光強度を測定する測定装置が、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、前記測定装置が、前記コンテンツ表示プログラムによってコンテンツ要求を該測定装置へ送信させ、コンテンツを受信する都度表示させる表示制御情報を前記表示装置へ送信するステップと、前記コンテンツ表示プログラムによるコンテンツ要求に応じて、調整用画像を含むコンテンツ及び次に表示させるコンテンツに係る表示制御情報を前記表示装置へ送信するステップと、前記光学センサにおける測定タイミングに合わせて、送信するコンテンツを変更する変更ステップとを実行することを特徴とする。
【手続補正２】
【補正対象書類名】明細書
【補正対象項目名】００１５
【補正方法】変更
【補正の内容】
【００１５】
本発明に係る測定方法は、前記測定装置は、前記表示制御情報として、自身へのコンテンツ要求を間欠的に送信することを指示する情報を送信し、前記変更ステップは、一の調整用画像の表示中における測定終了を検知する検知ステップと、測定終了を検知した場合に、前記表示装置からのコンテンツ要求に応じて他の調整用画像を含むコンテンツに変更するステップとを更に含むことを特徴とする。
【手続補正３】
【補正対象書類名】明細書
【補正対象項目名】００１７
【補正方法】変更
【補正の内容】
【００１７】
本発明に係る測定方法は、前記測定装置は、次に表示させるコンテンツを特定する情報を含むコンテンツ要求を該測定装置へ送信させる表示制御情報を前記表示装置へ送信することを特徴とする。
【手続補正４】
【補正対象書類名】明細書
【補正対象項目名】００１８
【補正方法】変更
【補正の内容】
【００１８】
本発明に係る測定方法は、光学センサと接続し、表示装置における表示光強度を測定する測定装置が、該測定装置と通信する情報処理装置と情報を送受信し、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、前記測定装置が、前記コンテンツ表示プログラムによってコンテンツ要求を前記情報処理装置へ送信させ、コンテンツを受信する都度表示させる表示制御情報を前記表示装置へ送信すべく前記情報処理装置へ指示するステップと、前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示するステップと、前記光学センサにおける測定タイミングに合わせて、前記情報処理装置へ、送信するコンテンツを変更させる変更ステップとを実行することを特徴とする。
【手続補正５】
【補正対象書類名】明細書
【補正対象項目名】００２０
【補正方法】変更
【補正の内容】
【００２０】
本発明に係る測定方法は、前記情報処理装置は、前記表示制御情報として、自身へのコンテンツ要求を間欠的に送信することを指示する情報を送信し、前記変更ステップは、一の調整用画像の表示中における測定終了を検知する検知ステップと、測定終了を検知した場合に、前記情報処理装置に、前記表示装置からのコンテンツ要求に応じて他の調整用画像を含むコンテンツに変更させるステップとを更に含むことを特徴とする。
【手続補正６】
【補正対象書類名】明細書
【補正対象項目名】００２２
【補正方法】変更
【補正の内容】
【００２２】
本発明に係る測定方法は、前記情報処理装置は、次に表示させるコンテンツを特定する情報を含むコンテンツ要求を送信させる表示制御情報を前記表示装置へ送信することを特徴とする。
【手続補正７】
【補正対象書類名】明細書
【補正対象項目名】００２５
【補正方法】変更
【補正の内容】
【００２５】
本発明に係るコンピュータプログラムは、光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、コンピュータに、前記コンテンツ表示プログラムによってコンテンツ要求を該コンピュータへ送信させ、コンテンツを受信する都度表示させる表示制御情報を前記表示装置へ送信するステップと、前記コンテンツ表示プログラムによるコンテンツ要求に応じて調整用画像を含むコンテンツ及び次に表示させるコンテンツに係る表示制御情報を前記表示装置へ送信するステップと、前記光学センサにおける測定タイミングに合わせて、送信するコンテンツを変更する変更ステップとを実行させることを特徴とする。
【手続補正８】
【補正対象書類名】明細書
【補正対象項目名】００２６
【補正方法】変更
【補正の内容】
【００２６】
本発明に係るコンピュータプログラムは、光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、コンピュータに、前記コンテンツ表示プログラムによってコンテンツ要求を他装置へ送信させ、コンテンツを受信する都度表示させる表示制御情報を前記表示装置へ送信すべく前記他装置へ指示するステップと、前記コンテンツ表示プログラムによるコンテンツ要求に応じて、調整用画像を含むコンテンツ及び次に表示させるコンテンツに係る表示制御情報を前記表示装置へ送信すべく前記他装置へ指示するステップと、前記光学センサにおける測定タイミングに合わせて、送信するコンテンツを変更することを前記他装置へ指示する変更ステップとを実行させることを特徴とする。
【手続補正９】
【補正対象書類名】明細書
【補正対象項目名】００２７
【補正方法】変更
【補正の内容】
【００２７】
本発明に係る測定システムは、所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置とを含む測定システムであって、前記測定装置は、前記コンテンツ表示プログラムによってコンテンツ要求を該測定装置へ送信させ、コンテンツを受信する都度表示させる表示制御情報を前記表示装置へ送信する手段と、前記コンテンツ表示プログラムによるコンテンツ要求に応じて、調整用画像を含むコンテンツ及び次に表示させるコンテンツに係る表示制御情報を前記表示装置へ送信する手段と、前記光学センサにおける測定タイミングに合わせて、送信するコンテンツを変更する手段とを備え、前記表示装置は、前記測定装置から送信されたコンテンツ及び前記表示制御情報を受信する手段と、受信したコンテンツを、受信した表示制御情報に基づき前記コンテンツ表示プログラムにより表示する手段とを備えることを特徴とする。
【手続補正１０】
【補正対象書類名】明細書
【補正対象項目名】００２８
【補正方法】変更
【補正の内容】
【００２８】
本発明に係る測定システムは、所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、前記測定装置は、前記コンテンツ表示プログラムによってコンテンツ要求を前記情報処理装置へ送信させ、コンテンツを受信する都度表示させる表示制御情報を前記表示装置へ送信すべく前記情報処理装置へ指示する手段と、前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示する手段と、前記光学センサにおける測定タイミングに合わせて、送信するコンテンツを変更することを前記情報処理装置へ指示する手段とを備え、前記表示装置は、前記情報処理装置から送信されたコンテンツ及び前記表示制御情報を受信する手段と、受信したコンテンツを、受信した表示制御情報に基づき前記コンテンツ表示プログラムにより表示する手段とを備えることを特徴とする。
【手続補正１１】
【補正対象書類名】明細書
【補正対象項目名】００２９
【補正方法】変更
【補正の内容】
【００２９】
測定方法、コンピュータプログラム及び測定システムでは、測定用の複数の調整用画像はコンテンツとして表示装置へ通信により送信され、表示装置にて起動しているコンテンツ表示プログラムにより受信される。測定用の調整用画像を含むコンテンツの表示タイミングが、光学センサを用いた測定タイミングと合うように制御されるべく、前記コンテンツ表示プログラムにてコンテンツ要求を送信し、コンテンツを受信する都度表示するように表示制御情報が表示装置へ送信される。これにより測定装置側では、各調整用画像に対して順次測定するように光学センサが制御されると共に、該光学センサによる測定タイミングに合わせて、送信するコンテンツの内容が変更され、又はコンテンツ自体が変更される。
調整用画像は、輝度の異なる無彩色又は複数の有彩色の画像である。背景色を指定することにより表示される画像を含む。
コンテンツはＨＴＭＬ（HyperText Markup Language ）ファイル、又はAdobe Flash （アドビシステムズ社の製品、登録商標）のようなドキュメントファイルであってもよい。通信プロトコルは、ＨＴＴＰ（HyperText Transfer Protocol ）が想定されるが、これに限られない。
なお、コンテンツ及び表示制御情報は、測定装置から表示装置へ直接的に送信される構成でも、他の情報処理装置を介して表示装置へ送信される構成としてもよい。
【手続補正１２】
【補正対象書類名】特許請求の範囲
【補正対象項目名】請求項１
【補正方法】変更
【補正の内容】
【請求項１】
光学センサと接続し、表示装置における表示光強度を測定する測定装置が、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、
前記測定装置が、
前記コンテンツ表示プログラムによってコンテンツ要求を該測定装置へ送信させ、コンテンツを受信する都度表示させる表示制御情報を前記表示装置へ送信するステップと、
前記コンテンツ表示プログラムによるコンテンツ要求に応じて、調整用画像を含むコンテンツ及び次に表示させるコンテンツに係る表示制御情報を前記表示装置へ送信するステップと、
前記光学センサにおける測定タイミングに合わせて、送信するコンテンツを変更する変更ステップと
を実行することを特徴とする測定方法。
【手続補正１３】
【補正対象書類名】特許請求の範囲
【補正対象項目名】請求項３
【補正方法】変更
【補正の内容】
【請求項３】
前記測定装置は、前記表示制御情報として、自身へのコンテンツ要求を間欠的に送信することを指示する情報を送信し、
前記変更ステップは、
一の調整用画像の表示中における測定終了を検知する検知ステップと、
測定終了を検知した場合に、前記表示装置からのコンテンツ要求に応じて他の調整用画像を含むコンテンツに変更するステップと
を更に含むことを特徴とする請求項１又は２に記載の測定方法。
【手続補正１４】
【補正対象書類名】特許請求の範囲
【補正対象項目名】請求項５
【補正方法】変更
【補正の内容】
【請求項５】
前記測定装置は、次に表示させるコンテンツを特定する情報を含むコンテンツ要求を該測定装置へ送信させる表示制御情報を前記表示装置へ送信すること
を特徴とする請求項３又は４に記載の測定方法。
【手続補正１５】
【補正対象書類名】特許請求の範囲
【補正対象項目名】請求項６
【補正方法】変更
【補正の内容】
【請求項６】
光学センサと接続し、表示装置における表示光強度を測定する測定装置が、該測定装置と通信する情報処理装置と情報を送受信し、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、
前記測定装置が、
前記コンテンツ表示プログラムによってコンテンツ要求を前記情報処理装置へ送信させ、コンテンツを受信する都度表示させる表示制御情報を前記表示装置へ送信すべく前記情報処理装置へ指示するステップと、
前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示するステップと、
前記光学センサにおける測定タイミングに合わせて、前記情報処理装置へ、送信するコンテンツを変更させる変更ステップと
を実行することを特徴とする測定方法。
【手続補正１６】
【補正対象書類名】特許請求の範囲
【補正対象項目名】請求項８
【補正方法】変更
【補正の内容】
【請求項８】
前記情報処理装置は、前記表示制御情報として、自身へのコンテンツ要求を間欠的に送信することを指示する情報を送信し、
前記変更ステップは、
一の調整用画像の表示中における測定終了を検知する検知ステップと、
測定終了を検知した場合に、前記情報処理装置に、前記表示装置からのコンテンツ要求に応じて他の調整用画像を含むコンテンツに変更させるステップと
を更に含むことを特徴とする請求項６又は７に記載の測定方法。
【手続補正１７】
【補正対象書類名】特許請求の範囲
【補正対象項目名】請求項１０
【補正方法】変更
【補正の内容】
【請求項１０】
前記情報処理装置は、次に表示させるコンテンツを特定する情報を含むコンテンツ要求を送信させる表示制御情報を前記表示装置へ送信すること
を特徴とする請求項８又は９に記載の測定方法。
【手続補正１８】
【補正対象書類名】特許請求の範囲
【補正対象項目名】請求項１３
【補正方法】変更
【補正の内容】
【請求項１３】
光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、
コンピュータに、
前記コンテンツ表示プログラムによってコンテンツ要求を該コンピュータへ送信させ、コンテンツを受信する都度表示させる表示制御情報を前記表示装置へ送信するステップと、
前記コンテンツ表示プログラムによるコンテンツ要求に応じて調整用画像を含むコンテンツ及び次に表示させるコンテンツに係る表示制御情報を前記表示装置へ送信するステップと、
前記光学センサにおける測定タイミングに合わせて、送信するコンテンツを変更する変更ステップと
を実行させることを特徴とするコンピュータプログラム。
【手続補正１９】
【補正対象書類名】特許請求の範囲
【補正対象項目名】請求項１４
【補正方法】変更
【補正の内容】
【請求項１４】
光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、
コンピュータに、
前記コンテンツ表示プログラムによってコンテンツ要求を他装置へ送信させ、コンテンツを受信する都度表示させる表示制御情報を前記表示装置へ送信すべく前記他装置へ指示するステップと、
前記コンテンツ表示プログラムによるコンテンツ要求に応じて、調整用画像を含むコンテンツ及び次に表示させるコンテンツに係る表示制御情報を前記表示装置へ送信すべく前記他装置へ指示するステップと、
前記光学センサにおける測定タイミングに合わせて、送信するコンテンツを変更することを前記他装置へ指示する変更ステップと
を実行させることを特徴とするコンピュータプログラム。
【手続補正２０】
【補正対象書類名】特許請求の範囲
【補正対象項目名】請求項１５
【補正方法】変更
【補正の内容】
【請求項１５】
所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置とを含む測定システムであって、
前記測定装置は、
前記コンテンツ表示プログラムによってコンテンツ要求を該測定装置へ送信させ、コンテンツを受信する都度表示させる表示制御情報を前記表示装置へ送信する手段と、
前記コンテンツ表示プログラムによるコンテンツ要求に応じて、調整用画像を含むコンテンツ及び次に表示させるコンテンツに係る表示制御情報を前記表示装置へ送信する手段と、
前記光学センサにおける測定タイミングに合わせて、送信するコンテンツを変更する手段と
を備え、
前記表示装置は、
前記測定装置から送信されたコンテンツ及び前記表示制御情報を受信する手段と、
受信したコンテンツを、受信した表示制御情報に基づき前記コンテンツ表示プログラムにより表示する手段と
を備えることを特徴とする測定システム。
【手続補正２１】
【補正対象書類名】特許請求の範囲
【補正対象項目名】請求項１６
【補正方法】変更
【補正の内容】
【請求項１６】
所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、
前記測定装置は、
前記コンテンツ表示プログラムによってコンテンツ要求を前記情報処理装置へ送信させ、コンテンツを受信する都度表示させる表示制御情報を前記表示装置へ送信すべく前記情報処理装置へ指示する手段と、
前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示する手段と、
前記光学センサにおける測定タイミングに合わせて、送信するコンテンツを変更することを前記情報処理装置へ指示する手段と
を備え、
前記表示装置は、
前記情報処理装置から送信されたコンテンツ及び前記表示制御情報を受信する手段と、
受信したコンテンツを、受信した表示制御情報に基づき前記コンテンツ表示プログラムにより表示する手段と
を備えることを特徴とする測定システム。
【手続補正書】
【提出日】平成26年5月16日(2014.5.16)
【手続補正１】
【補正対象書類名】明細書
【補正対象項目名】００１３
【補正方法】変更
【補正の内容】
【００１３】
本発明に係る測定方法は、光学センサと接続し、表示装置における表示光強度を測定する測定装置が、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、前記測定装置が、前記コンテンツ表示プログラムによってコンテンツ要求を該測定装置へ送信させ、コンテンツを受信する都度表示させる表示制御情報を前記表示装置へ送信するステップと、前記コンテンツ表示プログラムによるコンテンツ要求に応じて、調整用画像を含むコンテンツ及び次に表示させるコンテンツに係る表示制御情報を前記表示装置へ送信するステップと、前記光学センサにおける測定タイミングに合わせて、送信するコンテンツを前記表示制御情報に対応するように変更する変更ステップとを実行することを特徴とする。
【手続補正２】
【補正対象書類名】明細書
【補正対象項目名】００１８
【補正方法】変更
【補正の内容】
【００１８】
本発明に係る測定方法は、光学センサと接続し、表示装置における表示光強度を測定する測定装置が、該測定装置と通信する情報処理装置と情報を送受信し、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、前記測定装置が、前記コンテンツ表示プログラムによってコンテンツ要求を前記情報処理装置へ送信させ、コンテンツを受信する都度表示させる表示制御情報を前記表示装置へ送信すべく前記情報処理装置へ指示するステップと、前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示するステップと、前記光学センサにおける測定タイミングに合わせて、前記情報処理装置へ、送信するコンテンツを前記表示制御情報に対応するように変更させる変更ステップとを実行することを特徴とする。
【手続補正３】
【補正対象書類名】明細書
【補正対象項目名】００２５
【補正方法】変更
【補正の内容】
【００２５】
本発明に係るコンピュータプログラムは、光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、コンピュータに、前記コンテンツ表示プログラムによってコンテンツ要求を該コンピュータに送信させ、コンテンツを受信する都度表示させる表示制御情報を前記表示装置へ送信するステップと、前記コンテンツ表示プログラムによるコンテンツ要求に応じて調整用画像を含むコンテンツ及び次に表示させるコンテンツに係る表示制御情報を前記表示装置へ送信するステップと、前記光学センサにおける測定タイミングに合わせて、送信するコンテンツを前記表示制御情報に対応するように変更する変更ステップとを実行させることを特徴とする。
【手続補正４】
【補正対象書類名】明細書
【補正対象項目名】００２６
【補正方法】変更
【補正の内容】
【００２６】
本発明に係るコンピュータプログラムは、光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、コンピュータに、前記コンテンツ表示プログラムによってコンテンツ要求を他装置へ送信させ、コンテンツを受信する都度表示させる表示制御情報を前記表示装置へ送信すべく前記他装置へ指示するステップと、前記コンテンツ表示プログラムによるコンテンツ要求に応じて、調整用画像を含むコンテンツ及び次に表示させるコンテンツに係る表示制御情報を前記表示装置へ送信すべく前記他装置へ指示するステップと、前記光学センサにおける測定タイミングに合わせて、送信するコンテンツを前記表示制御情報に対応するように変更することを前記他装置へ指示する変更ステップとを実行させることを特徴とする。
【手続補正５】
【補正対象書類名】明細書
【補正対象項目名】００２７
【補正方法】変更
【補正の内容】
【００２７】
本発明に係る測定システムは、所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置とを含む測定システムであって、前記測定装置は、前記コンテンツ表示プログラムによってコンテンツ要求を該測定装置に送信させ、コンテンツを受信する都度表示させる表示制御情報を前記表示装置へ送信する手段と、前記コンテンツ表示プログラムによるコンテンツ要求に応じて、調整用画像を含むコンテンツ及び次に表示させるコンテンツに係る表示制御情報を前記表示装置へ送信する手段と、前記光学センサにおける測定タイミングに合わせて、送信するコンテンツを前記表示制御情報に対応するように変更する手段とを備え、前記表示装置は、前記測定装置から送信されたコンテンツ及び前記表示制御情報を受信する手段と、受信したコンテンツを、受信した表示制御情報に基づき前記コンテンツ表示プログラムにより表示する手段とを備えることを特徴とする。
【手続補正６】
【補正対象書類名】明細書
【補正対象項目名】００２８
【補正方法】変更
【補正の内容】
【００２８】
本発明に係る測定システムは、所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、前記測定装置は、前記コンテンツ表示プログラムによってコンテンツ要求を前記情報処理装置へ送信させ、コンテンツを受信する都度表示させる表示制御情報を前記表示装置へ送信すべく前記情報処理装置へ指示する手段と、前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示する手段と、前記光学センサにおける測定タイミングに合わせて、送信するコンテンツを前記表示制御情報に対応するように変更することを前記情報処理装置へ指示する手段とを備え、前記表示装置は、前記情報処理装置から送信されたコンテンツ及び前記表示制御情報を受信する手段と、受信したコンテンツを、受信した表示制御情報に基づき前記コンテンツ表示プログラムにより表示する手段とを備えることを特徴とする。
【手続補正７】
【補正対象書類名】特許請求の範囲
【補正対象項目名】請求項１
【補正方法】変更
【補正の内容】
【請求項１】
光学センサと接続し、表示装置における表示光強度を測定する測定装置が、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、
前記測定装置が、
前記コンテンツ表示プログラムによってコンテンツ要求を該測定装置へ送信させ、コンテンツを受信する都度表示させる表示制御情報を前記表示装置へ送信するステップと、
前記コンテンツ表示プログラムによるコンテンツ要求に応じて、調整用画像を含むコンテンツ及び次に表示させるコンテンツに係る表示制御情報を前記表示装置へ送信するステップと、
前記光学センサにおける測定タイミングに合わせて、送信するコンテンツを前記表示制御情報に対応するように変更する変更ステップと
を実行することを特徴とする測定方法。
【手続補正８】
【補正対象書類名】特許請求の範囲
【補正対象項目名】請求項６
【補正方法】変更
【補正の内容】
【請求項６】
光学センサと接続し、表示装置における表示光強度を測定する測定装置が、該測定装置と通信する情報処理装置と情報を送受信し、前記表示装置にて起動している所定のコンテンツ表示プログラムにより複数の異なる調整用画像を順次的に表示させ、各調整用画像を表示中の前記表示装置における光強度を、所定のタイミングで夫々順次前記光学センサを用いて測定する方法であって、
前記測定装置が、
前記コンテンツ表示プログラムによってコンテンツ要求を前記情報処理装置へ送信させ、コンテンツを受信する都度表示させる表示制御情報を前記表示装置へ送信すべく前記情報処理装置へ指示するステップと、
前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示するステップと、
前記光学センサにおける測定タイミングに合わせて、前記情報処理装置へ、送信するコンテンツを前記表示制御情報に対応するように変更させる変更ステップと
を実行することを特徴とする測定方法。
【手続補正９】
【補正対象書類名】特許請求の範囲
【補正対象項目名】請求項１３
【補正方法】変更
【補正の内容】
【請求項１３】
光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、
コンピュータに、
前記コンテンツ表示プログラムによってコンテンツ要求を該コンピュータに送信させ、コンテンツを受信する都度表示させる表示制御情報を前記表示装置へ送信するステップと、
前記コンテンツ表示プログラムによるコンテンツ要求に応じて調整用画像を含むコンテンツ及び次に表示させるコンテンツに係る表示制御情報を前記表示装置へ送信するステップと、
前記光学センサにおける測定タイミングに合わせて、送信するコンテンツを前記表示制御情報に対応するように変更する変更ステップと
を実行させることを特徴とするコンピュータプログラム。
【手続補正１０】
【補正対象書類名】特許請求の範囲
【補正対象項目名】請求項１４
【補正方法】変更
【補正の内容】
【請求項１４】
光学センサと接続するコンピュータに、複数の調整用画像を表示装置にて起動中の所定のコンテンツ表示プログラムにより表示させ、各調整用画像を表示中の前記表示装置における光強度を、夫々順次前記光学センサで測定する処理を実行させるコンピュータプログラムにおいて、
コンピュータに、
前記コンテンツ表示プログラムによってコンテンツ要求を他装置へ送信させ、コンテンツを受信する都度表示させる表示制御情報を前記表示装置へ送信すべく前記他装置へ指示するステップと、
前記コンテンツ表示プログラムによるコンテンツ要求に応じて、調整用画像を含むコンテンツ及び次に表示させるコンテンツに係る表示制御情報を前記表示装置へ送信すべく前記他装置へ指示するステップと、
前記光学センサにおける測定タイミングに合わせて、送信するコンテンツを前記表示制御情報に対応するように変更することを前記他装置へ指示する変更ステップと
を実行させることを特徴とするコンピュータプログラム。
【手続補正１１】
【補正対象書類名】特許請求の範囲
【補正対象項目名】請求項１５
【補正方法】変更
【補正の内容】
【請求項１５】
所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置とを含む測定システムであって、
前記測定装置は、
前記コンテンツ表示プログラムによってコンテンツ要求を該測定装置に送信させ、コンテンツを受信する都度表示させる表示制御情報を前記表示装置へ送信する手段と、
前記コンテンツ表示プログラムによるコンテンツ要求に応じて、調整用画像を含むコンテンツ及び次に表示させるコンテンツに係る表示制御情報を前記表示装置へ送信する手段と、
前記光学センサにおける測定タイミングに合わせて、送信するコンテンツを前記表示制御情報に対応するように変更する手段と
を備え、
前記表示装置は、
前記測定装置から送信されたコンテンツ及び前記表示制御情報を受信する手段と、
受信したコンテンツを、受信した表示制御情報に基づき前記コンテンツ表示プログラムにより表示する手段と
を備えることを特徴とする測定システム。
【手続補正１２】
【補正対象書類名】特許請求の範囲
【補正対象項目名】請求項１６
【補正方法】変更
【補正の内容】
【請求項１６】
所定のコンテンツ表示プログラムを起動する表示装置と、該表示装置に接続して複数の調整用画像を前記コンテンツ表示プログラムにより表示させ、各調整用画像を表示中の前記表示装置における光強度を、所定のタイミングで夫々順次測定する光学センサと接続する手段を備える表示光強度の測定装置と、該測定装置及び前記表示装置と通信する情報処理装置とを含む測定システムであって、
前記測定装置は、
前記コンテンツ表示プログラムによってコンテンツ要求を前記情報処理装置へ送信させ、コンテンツを受信する都度表示させる表示制御情報を前記表示装置へ送信すべく前記情報処理装置へ指示する手段と、
前記コンテンツ表示プログラムによるコンテンツ要求に応じて、調整用画像を含むコンテンツ及び次に表示させるコンテンツに係る表示制御情報を前記表示装置へ送信すべく前記情報処理装置へ指示する手段と、
前記光学センサにおける測定タイミングに合わせて、送信するコンテンツを前記表示制御情報に対応するように変更することを前記情報処理装置へ指示する手段と
を備え、
前記表示装置は、
前記情報処理装置から送信されたコンテンツ及び前記表示制御情報を受信する手段と、
受信したコンテンツを、受信した表示制御情報に基づき前記コンテンツ表示プログラムにより表示する手段と
を備えることを特徴とする測定システム。
【国際調査報告】
2013038852.tif 000015
2013038852.tif 000016